【手続補正書】
【提出日】平成19年4月17日(2007.4.17)
【手続補正１】
【補正対象書類名】特許請求の範囲
【補正対象項目名】全文
【補正方法】変更
【補正の内容】
【特許請求の範囲】
【請求項１】
通常の撮影範囲と接写の撮影範囲を少なくとも一部の光学部材の位置切換えにより選択可能な光学撮影機構と、
この光学撮影機構の上記光学部材の各切換位置それぞれに設けた電磁石による位置固定手段と、
通常の撮影範囲と接写の撮影範囲のいずれか一方を選択指示する指示手段と、
この指示手段に対応して上記位置固定手段に択一的に通電して上記光学部材を通常の撮影範囲または接写の撮影範囲の切換位置に固定させる電磁駆動手段と
を具備したことを特徴とする撮像装置。
【請求項２】
上記位置固定手段は、上記各切換位置に対応してそれぞれ一対の電磁石を具備していることを特徴とする請求項１記載の撮像装置。
【請求項３】
通常の撮影範囲と接写の撮影範囲を少なくとも一部の光学部材の位置切換えにより選択可能な光学撮影機構と、
この光学撮影機構の可動側及び固定側の一方に永久磁石、他方に電磁石を設け、電磁石への通電方向を切換えて該電磁石を永久磁石に対して吸引または反発させることで上記光学部材を各切換位置に固定する位置固定手段と、
通常の撮影範囲と接写の撮影範囲のいずれか一方を選択指示する指示手段と、
この指示手段に対応して電磁石への通電方向を切換え上記光学部材を通常の撮影範囲または接写の撮影範囲の切換位置に固定させる電磁駆動手段と
を具備したことを特徴とする撮像装置。
【請求項４】
上記位置固定手段は、可動側に永久磁石を、固定側に電磁石を設けることを特徴とする請求項３記載の撮像装置。
【請求項５】
通常の撮影範囲と接写の撮影範囲を少なくとも一部の光学部材の位置切換えにより選択可能な光学撮影機構と、
この光学撮影機構の可動側の上記光学部材に付勢して通常の撮影範囲と接写の撮影範囲の一方に位置固定する、弾性部材による第１の位置固定手段と、
上記光学撮影機構の可動側の上記光学部材、及び固定側の一方に永久磁石、他方に電磁石を設け、該電磁石への通電時に上記弾性部材の弾性力を上回る吸引力または反発力を発生して上記光学部材を通常の撮影範囲と接写の撮影範囲の他方に位置固定する第２の位置固定手段と、
通常の撮影範囲と接写の撮影範囲のいずれか一方を選択指示する指示手段と、
この指示手段に対応して電磁石への通電状態を切換え、上記光学部材を通常の撮影範囲または接写の撮影範囲の切換位置に固定させる電磁駆動手段と
を具備したことを特徴とする撮像装置。
【請求項６】
上記第２の位置固定手段は、可動側に永久磁石を、固定側に電磁石を設けることを特徴とする請求項５記載の撮像装置。
【手続補正２】
【補正対象書類名】明細書
【補正対象項目名】０００８
【補正方法】変更
【補正の内容】
【０００８】
請求項１記載の発明は、通常の撮影範囲と接写の撮影範囲を少なくとも一部の光学部材の位置切換えにより選択可能な光学撮影機構と、この光学撮影機構の上記光学部材の各切換位置それぞれに設けた電磁石による位置固定手段と、通常の撮影範囲と接写の撮影範囲のいずれか一方を選択指示する指示手段と、この指示手段に対応して上記位置固定手段に択一的に通電して上記光学部材を通常の撮影範囲または接写の撮影範囲の切換位置に固定させる電磁駆動手段とを具備したことを特徴とする。
請求項２記載の発明は、上記請求項１記載の発明において、上記位置固定手段は、上記各切換位置に対応してそれぞれ一対の電磁石を具備していることを特徴とする。
【手続補正３】
【補正対象書類名】明細書
【補正対象項目名】０００９
【補正方法】変更
【補正の内容】
【０００９】
請求項３記載の発明は、通常の撮影範囲と接写の撮影範囲を少なくとも一部の光学部材の位置切換えにより選択可能な光学撮影機構と、この光学撮影機構の可動側及び固定側の一方に永久磁石、他方に電磁石を設け、電磁石への通電方向を切換えて該電磁石を永久磁石に対して吸引または反発させることで上記光学部材を各切換位置に固定する位置固定手段と、通常の撮影範囲と接写の撮影範囲のいずれか一方を選択指示する指示手段と、この指示手段に対応して電磁石への通電方向を切換え上記光学部材を通常の撮影範囲または接写の撮影範囲の切換位置に固定させる電磁駆動手段とを具備したことを特徴とする。
【手続補正４】
【補正対象書類名】明細書
【補正対象項目名】００１０
【補正方法】変更
【補正の内容】
【００１０】
請求項４記載の発明は、上記請求項３記載の発明において、上記位置固定手段は、可動側に永久磁石を、固定側に電磁石を設けることを特徴とする。
【手続補正５】
【補正対象書類名】明細書
【補正対象項目名】００１１
【補正方法】変更
【補正の内容】
【００１１】
請求項５記載の発明は、通常の撮影範囲と接写の撮影範囲を少なくとも一部の光学部材の位置切換えにより選択可能な光学撮影機構と、この光学撮影機構の可動側に付勢して通常の撮影範囲と接写の撮影範囲の一方に位置固定する、弾性部材による第１の位置固定手段と、上記光学撮影機構の可動側及び固定側の一方に永久磁石、他方に電磁石を設け、該電磁石への通電時に上記弾性部材の弾性力を上回る吸引力または反発力を発生して上記光学部材を通常の撮影範囲と接写の撮影範囲の他方に位置固定する第２の位置固定手段と、通常の撮影範囲と接写の撮影範囲のいずれか一方を選択指示する指示手段と、この指示手段に対応して電磁石への通電状態を切換え、上記光学部材を通常の撮影範囲または接写の撮影範囲の切換位置に固定させる電磁駆動手段とを具備したことを特徴とする。
【手続補正６】
【補正対象書類名】明細書
【補正対象項目名】００１２
【補正方法】変更
【補正の内容】
【００１２】
請求項６記載の発明は、上記請求項５記載の発明において、上記第２の位置固定手段は、可動側に永久磁石を、固定側に電磁石を設けることを特徴とする。
【手続補正７】
【補正対象書類名】明細書
【補正対象項目名】００１３
【補正方法】変更
【補正の内容】
【００１３】
請求項１または２記載の発明によれば、２つの撮影位置に対応した電磁石の一方に通電することで簡単に位置切換を実行させることができ、構造と制御をきわめて簡素化できると共に、電磁石の極性と配置を工夫することで容易に正確な位置合わせを実現できる。
【手続補正８】
【補正対象書類名】明細書
【補正対象項目名】００１４
【補正方法】変更
【補正の内容】
【００１４】
請求項３記載の発明によれば、電磁石への通電方向を可変することで簡単に位置切換を実行させることができ、構造と制御をきわめて簡素化できると共に、永久磁石と電磁石それぞれの極性と配置を工夫することで容易に正確な位置合わせを実現できる。
【手続補正９】
【補正対象書類名】明細書
【補正対象項目名】００１５
【補正方法】変更
【補正の内容】
【００１５】
請求項４記載の発明によれば、上記請求項３記載の発明の効果に加えて、可動側への通電のための配線が必要なくなるので、より構造を簡素化できる。
【手続補正１０】
【補正対象書類名】明細書
【補正対象項目名】００１６
【補正方法】変更
【補正の内容】
【００１６】
請求項５記載の発明によれば、電磁石への通電の有無を切換えることで簡単に位置切換を実行させることができ、構造と制御をきわめて簡素化できるだけでなく、通電していない状態では無駄に電源を消費しないので制限のある電池電源を有効に活用できる。
【手続補正１１】
【補正対象書類名】明細書
【補正対象項目名】００１７
【補正方法】変更
【補正の内容】
【００１７】
請求項６記載の発明によれば、上記請求項５記載の発明の効果に加えて、可動側への通電のための配線が必要なくなるので、より構造を簡素化できる。